(57)【特許請求の範囲】
【請求項１】
ダイヤル番号を登録したダイヤル登録メモリと、
計時手段と、
上記ダイヤル登録メモリの更新時刻を登録した時刻登録メモリと、
ダイヤル番号を構成する数字の中の一部の数字を置換前後に対応させて登録した置換番号登録メモリを備えた通信端末装置であって、
上記計時手段の時刻が、上記時刻登録メモリに予め設定した所定の更新時刻になったときには、上記置換番号登録メモリに登録した数字を参照して、上記ダイヤル登録メモリに登録した各ダイヤル番号を構成する数字の中の一部の数字を、予め設定した別の数字に置換することにより上記ダイヤル登録メモリを更新する手段と、
上記計時手段の時刻が、上記時刻登録メモリに登録した時刻をすでに過ぎた時刻である場合には、上記ダイヤル登録メモリに新たなダイヤル番号が登録される度に、ダイヤル番号を構成する数字の中の一部の数字の置換を行う手段とを備えたことを特徴とする通信端末装置。
【発明の詳細な説明】
【０００１】
【発明の属する技術分野】
本発明は、電話機、ファクシミリ装置、通信機能を有したコンピュータ等の通信端末装置、更に詳しくは、ワンタッチダイヤル機能や短縮ダイヤル機能等を実行するために、予めメモリにダイヤル番号を登録した通信端末装置の改良に関する。
【０００２】
【従来の技術】
従来、電話機などの通信端末装置では、ダイヤル番号を登録するためのメモリを備えて、ワンタッチダイヤル機能や短縮ダイヤル機能を実現している。
ワンタッチダイヤル機能は、予め設けられたワンタッチダイヤルキーに対応させてダイヤル番号を登録しておくと、ワンタッチダイヤルキーを操作するだけで、登録したダイヤル番号を自動発呼でき、また、短縮ダイヤル機能は、テンキー操作により短縮コードを指定してダイヤル番号を登録しておくと、テンキーによって短縮コードを入力操作するだけで、自動発呼ができる。
【０００３】
【発明が解決しようとする課題】
しかしながら、上記従来の通信端末装置では、ワンタッチダイヤル機能や短縮ダイヤル機能を実現するためのダイヤル番号等のメモリへの登録設定は、面倒な作業となっている。
ところで、近時では携帯電話などの通信端末装置の需要が急激に高まり、その契約台数が大幅に増加していることから、近い将来、市外局番の桁数を増やしてその需要に対応することが検討されている。また、通信の国際標準を定めるＩＴＵ（国際電気通信連合）では、国際電話の国番号を変更することが計画されている。
【０００４】
このように、市外局番や国際電話の国番号が変わった場合には、その変更日時にあわせて、現在登録しているメモリ内容を確認しながら登録し直す必要があるため、ダイヤル番号のメモリへの登録設定は、更に面倒な作業になっていた。加えて、この変更作業はキー操作などによって手入力で行っているため、誤ったダイヤル番号を登録してしまう場合があり、間違い電話の原因にもなっていた。
【０００５】
本発明は、このような事情に鑑みてなされたものであり、ダイヤル番号の一部のみが変更する場合でも、その変更日時にあわせて、メモリに登録しているダイヤル番号を自動的に更新することが出来る通信端末装置を提供することを目的としている。
【０００６】
【課題を解決するための手段】
上記目的を達成するために提案される本発明の請求項１に記載の発明は、ダイヤル番号を登録したダイヤル登録メモリと、計時手段と、上記ダイヤル登録メモリの更新時刻を登録した時刻登録メモリと、ダイヤル番号を構成する数字の中の一部の数字を置換前後に対応させて登録した置換番号登録メモリを備えた通信端末装置であって、上記計時手段の時刻が、上記時刻登録メモリに予め設定した所定の更新時刻になったときには、上記置換番号登録メモリに登録した数字を参照して、上記ダイヤル登録メモリに登録した各ダイヤル番号を構成する数字の中の一部の数字を、予め設定した別の数字に置換することにより上記ダイヤル登録メモリを更新する手段と、上記計時手段の時刻が、上記時刻登録メモリに登録した時刻をすでに過ぎた時刻である場合には、上記ダイヤル登録メモリに新たなダイヤル番号が登録される度に、ダイヤル番号を構成する数字の中の一部の数字の置換を行う手段とを備えたことを特徴とする。
【０００７】
ここに、ダイヤル登録メモリには、ワンタッチダイヤル機能や短縮ダイヤル機能等を実現するために、予めダイヤル番号を登録したメモリが使用される。また、計時手段は、時間の他に年月日が計測できるようになっている。置換する番号には、市外局番や国際電話で使用される国番号等がある。
【０００９】
【発明の実施の形態】
以下に、本発明の実施の形態について図面とともに説明する。
図１は、本発明に係る通信端末装置の１つであるファクシミリ装置Ｆの内部構成の一例を示したブロック図である。
このファクシミリ装置Ｆには、ＣＰＵ等で構成された信号処理部１に対し、モデムを備え、通信回線Ｌを介して外部のファクシミリ装置等と通信を行うためのファクシミリ通信制御部２、計時手段として時間を計測する時計部３、時刻設定手段や置換番号設定手段としてデータ入力を行うため、テンキー等の各種操作キーで構成されたキー操作部４、液晶表示器等で構成された表示部５、ワンタッチダイヤルキー等の操作によって、キーに対応したダイヤル番号を自動発呼するオートダイヤラー６、原稿を読取走査するための画像読取部７、記録紙への画像の印字出力を行う印字出力部８、ＲＯＭ９、ＲＡＭ１０等を接続している。
【００１０】
上記各部のうち、ファクシミリ通信制御部２には、プロトコル信号の相互伝送を行うための回路、通信回線Ｌとの回線接続制御を行う回線制御部等を備えており、ＲＯＭ９には、時刻登録メモリ９ａと置換番号登録メモリ９ｂを、ＲＡＭ１０には、キー操作部４の操作によって予めダイヤル番号を登録したダイヤル登録メモリ１０ａを備えている。
【００１１】
以下に、このファクシミリ装置Ｆの本発明に係る基本動作を説明する。
予め、キー操作部４によって、ダイヤル登録メモリ１０ａの更新時刻と、置換前後に対応させたダイヤル番号の一部の番号とを入力し、ＲＡＭ１０に設定する。信号処理部１では、設定した更新時刻を参照して、時計部３の時刻がこの更新時刻になったときには、ダイヤル登録メモリ１０ａを検索して、メモリ内に登録した各ダイヤル番号の一部を、ＲＡＭ１０に設定した内容にあわせるように置換する。
【００１２】
なお、上記更新時刻と置換前後の番号は、予めＲＯＭ９に登録しておくこともできる。更新時刻を時刻登録メモリ９ａに、ダイヤル番号の一部である置換前後の番号を置換番号登録メモリ９ｂに登録しておけば、キー操作部４によって入力設定を行わなくても、自動的にダイヤル登録メモリ１０ａのダイヤル番号を更新できる。
【００１３】
図２には、置換番号登録メモリ９ｂの構成の一例を示している。
ここには、国際通話のためのダイヤル番号の一部である国番号が、置換前後に対応して登録されている。図に示すように、置換前（旧国番号）と置換後（新国番号）の番号は、桁数が同じである必要がない。
なお、置換の対象となる番号には、国番号の他に、市外局番、市内局番、国際電話用番号（００１、００４１、００６１等）、電気通信事業者識別番号（００７０、００７７、００８８等）がある。また、置換する番号は、ダイヤル番号の一部とは限られず、ダイヤル番号のすべてを更新できるようにすれば、引越しなどの通信端末装置の移転にも対応できる。
【００１４】
ダイヤル登録メモリ１０ａを更新した後は、図３に示すような更新レポートを印字出力部８から出力するようにすれば便利である。
この図では、国番号が置換された例を示しており、ワンタッチダイヤルキー「１」に対応したダイヤル番号の国番号が「×××」に（図２に示した例によると置換前は「８５２」）、ワンタッチダイヤルキー「２」に対応したダイヤル番号の国番号が「○○」に（図２に示した例によると置換前は「１」）なっている。
【００１５】
なお、置換する番号をダイヤル登録メモリ１０ａに登録したダイヤル番号から検索するときには、置換対象となる番号（国番号など）の位置を確認しながら行っているので、ダイヤル番号内に同じ番号が存在していたとしても、その番号が置換されることはない。
ここでは、更新後のダイヤル登録メモリ１０ａの内容のみを出力した例を示したが、更新前と更新後を対応させて出力してもよく、更新後のみを出力した場合に置換した番号にマークを付けるようにしてもよい。
【００１６】
図４には、上記した動作手順をフローチャート（ステップ１００〜１０７）で示している。
時計部３で計時している時刻が、キー操作部４の操作によってＲＡＭ１０に設定した時刻、あるいは、時刻登録メモリ９ａに登録した時刻になったときには、ダイヤル番号の一部である置換前の番号と一致する番号が、ダイヤル登録メモリ１０ａのダイヤル番号に含まれているかを検索し、置換対象となる番号が存在すれば、その番号を更新する。
【００１７】
全ての置換前番号に対して、ダイヤル登録メモリ１０ａの検索及び置換が終了すると、更新レポートを出力する。なお、この更新レポートの内容は、表示部５に表示したり、音声メッセージで出力するようにしてもよい。
なお、このようにして更新が終了した後は、ダイヤル番号を更新するためのデータ（更新時刻、置換番号）を参照しないようにしたり、消去するようにすればよい。また、時刻登録メモリ９ａに登録している更新時刻が、すでに過ぎた時刻である場合には、ダイヤル登録メモリ１０ａに新たなダイヤル番号が登録される度に、番号の置換を行うように動作してもよい。
【００１８】
【発明の効果】
以上の説明からも理解できるように、本発明の請求項１に記載の通信端末装置によれば、市外局番や国際電話の国番号などのダイヤル番号の一部に変更がある場合に、その変更日時にあわせて、現在登録しているダイヤル番号を自動的に更新することができる。そのため、面倒なダイヤル番号の再登録作業を行う必要がなくなる。
【００１９】
これによって、通信端末装置の契約台数の増加に伴うダイヤル番号の変更（市外局番桁数の増加、変更等）や、ＩＴＵ（国際電気通信連合）の勧告によるダイヤル番号の変更（国際電話の国番号の変更）などに容易に対応ができる。
【００２０】
また、製造者等が予めダイヤル登録メモリの更新予約しておくことができるので、使用者に対して更新時刻及び更新内容を意識させることがない。さらに、この場合、正確にダイヤル番号を更新できるので、間違い電話を防ぐことが出来る。
【図面の簡単な説明】
【図１】本発明に係る通信端末装置（ファクシミリ装置）の内部構成の一例を示したブロック図である。
【図２】置換番号登録メモリの構成の一例を示す図である。
【図３】更新レポートの出力例を示す図である。
【図４】本発明に係る通信端末装置の基本動作手順の一例を示したフローチャートである。
【符号の説明】
Ｆ・・・本発明に係る通信端末装置（ファクシミリ装置）
１・・・信号処理部
３・・・時計部（計時手段）
４・・・キー操作部（時刻設定手段、置換番号設定手段）
９・・・ＲＯＭ
９ａ・・・時刻登録メモリ
９ｂ・・・置換番号登録メモリ
１０・・・ＲＡＭ
１０ａ・・・ダイヤル登録メモリ
【図１】
0003582162.tif 000002
【図２】
0003582162.tif 000003
【図３】
0003582162.tif 000004
【図４】
0003582162.tif 000005